(57)【要約】【課題】デジタル放送のＳＤ放送とＨＤ放送が混在したいわゆる「まだら放送」を受信する映像表示装置において、ＳＤ放送とＨＤ放送の放送内容に関わらず、効率よく番組のスケジュール表に番組情報を表示する。【解決手段】指定された時間帯の番組のスケジュール表を表示する場合に、ＳＤ放送を複数同時放送する放送局が含まれているか否かをチェックして、ＳＤ放送を複数同時放送する放送局が含まれていないときには、一放送局ごとの放送される番組に一単位の表示枠で表示し、ＳＤ放送の番組を複数同時放送する放送局が含まれているときには、同時放送された一つのＳＤ放送のチャンネルごとの番組に、一単位の表示枠を割り当てて映像表示装置の表示部に番組のスケジュール表を表示する。【選択図】        図３
2008258959.tif 000002
【特許請求の範囲】
【請求項１】
番組の放送データと番組の番組情報を受信して、単位時間あたり伝送容量の多い第一の放送形態と、単位時間あたり伝送容量の少ない第二の放送形態の両者の番組を受信して番組の表示をする映像表示装置において、
制御部と、
番組情報処理部と、
表示部とを有し、
前記制御部は、所定時間帯の番組のスケジュール表の表示データの生成を、前記番組情報処理部に指示し、
前記番組情報処理部は、受信した前記番組情報に基づいて、前記所定時間帯の中に、前記第二の伝送形態で番組を同時に放送する放送局があるか否かを判定し、
前記所定時間帯の中に、前記第二の伝送形態で番組を同時に放送する放送局がないときには、放送局ごとの一つの番組に一つの表示枠を割り当てた番組のスケジュール表のデータを生成し、
前記所定時間帯の中に、前記第二の伝送形態番組を同時に放送する放送局があるときには、同時に放送された前記第二の伝送形態のチャンネルごとの一つの番組に一つの表示枠を割り当てた番組のスケジュール表のデータを生成し、
前記表示部は、前記番組情報処理部の生成したデータに基づいて、前記所定の時間帯の番組のスケジュール表を表示することを特徴とする映像表示装置。
【請求項２】
前記第一の放送形態は、ＨＤ放送であり、前記第二の放送形態は、ＳＤ放送であることを特徴とする請求項１記載の映像表示装置。
【請求項３】
番組の放送データと番組の番組情報を受信して、単位時間あたり伝送容量の多い第一の放送形態と、単位時間あたり伝送容量の少ない第二の放送形態の両者の番組を受信して番組の表示をする映像表示装置において、
制御部と、
番組情報処理部と、
表示部とを有し、
前記制御部は、所定時間帯の番組のスケジュール表の表示データの生成を、前記番組情報処理部に指示し、
前記番組情報処理部は、受信した前記番組情報に基づいて、前記所定時間帯に一定の時間分を足した時間帯の中に、前記第二の伝送形態で番組を同時に放送する放送局があるか否かを判定し、
前記所定時間帯に一定の時間分を足した時間帯の中に、前記第二の伝送形態で番組を同時に放送する放送局がないときには、放送局ごとの一つの番組に一つの表示枠を割り当てた番組のスケジュール表のデータを生成し、
前記所定時間帯に一定の時間分を足した時間帯の中に、前記第二の伝送形態番組を同時に放送する放送局があるときには、同時に放送された前記第二の伝送形態のチャンネルごとの一つの番組に一つの表示枠を割り当てた番組のスケジュール表のデータを生成し、
前記表示部は、前記番組情報処理部の生成したデータに基づいて、前記所定の時間帯の番組のスケジュール表を表示することを特徴とする映像表示装置。
【請求項４】
番組の放送データと番組の番組情報を受信して、単位時間あたり伝送容量の多い第一の放送形態と、単位時間あたり伝送容量の少ない第二の放送形態の両者の番組を受信して番組の表示をする映像表示装置の番組表示方法において、
前記映像表示装置は、
制御部と、
番組情報処理部と、
表示部とを有し、
前記制御部は、所定時間帯の番組のスケジュール表の表示データの生成を、前記番組情報処理部に指示するステップと、
前記番組情報処理部が、受信した前記番組情報に基づいて、前記所定時間帯の中に、前記第二の伝送形態で番組を同時に放送する放送局があるか否かを判定するステップと、
前記番組情報処理部が、前記所定時間帯の中に、前記第二の伝送形態で番組を同時に放送する放送局がないときには、放送局ごとの一つの番組に一つの表示枠を割り当てた番組のスケジュール表のデータを生成するステップと、
前記番組情報処理部が、前記所定時間帯の中に、前記第二の伝送形態で番組を同時に放送する放送局があるときには、同時に放送された前記第二の伝送形態のチャンネルごとの一つの番組に一つの表示枠を割り当てた番組のスケジュール表のデータを生成するステップと、
前記表示部が、前記番組情報処理部の生成したデータに基づいて、前記所定の時間帯の番組のスケジュール表を表示するステップとを有することを特徴とする映像表示装置の番組表示方法。
【請求項５】
前記第一の放送形態は、ＨＤ放送であり、前記第二の放送形態は、ＳＤ放送であることを特徴とする請求項４記載の映像表示装置の番組表示方法。
【発明の詳細な説明】
【技術分野】
【０００１】
本発明は、映像表示装置、および、その番組表示方法に係り、特に、デジタル放送のＨＤ放送とＳＤ放送の混在する受信環境の番組表示に好適な映像表示装置、および、その番組表示方法に関する。
【背景技術】
【０００２】
近年、テレビ放送の分野においては、従来のアナログ放送からデジタル放送に移行しつつある。
【０００３】
デジタル放送では、画像データをデジタルデータとして扱い、画像データを圧縮して送信する画像圧縮技術などが用いられ、一定の伝送帯域の下で多くの情報量が伝送するという利点がある。
【０００４】
そのため、その特性を利用して、高画質のＨＤ（High Definition）放送（高精細度放送）が可能となる。また、従来のＳＤ（Standard Definition）放送（標準精細度放送）の場合には、同時に２チャンネル以上の複数の放送が可能となる。
【０００５】
デジタル放送では、上記のように優れた伝送特性を持ち、データの取扱いに柔軟性があるために、同一の放送局が、時間帯によってＨＤ放送とＳＤ放送とを交互に組み合わせて、まだら状に放送編成（いわゆる、「まだら放送」）をすることがおこなわれている。
【０００６】
以下の特許文献１には、まだら放送の受信を前提として、ＥＰＧ表示モードの番組表示をおこう場合に、ＨＤ放送、マルチＳＤ放送（同一時間帯の多チャンネル放送）、ＳＤ放送を識別可能なように表示する技術が開示されている。
【０００７】
【特許文献１】特開２０００−１５２１１４号公報
【発明の開示】
【発明が解決しようとする課題】
【０００８】
上記従来技術は、デジタル放送化における各放送形態を識別できることに特徴があるとしている。しかしながら、この従来形態においては、表示画面における番組表示の表示効率ということについては考慮されていない。
【０００９】
以下、図８を用いて従来技術に番組表示の問題点について説明する。
図８は、従来技術の番組のスケジュール表示の画面を模式的に示した図である。
【００１０】
上記のように、まだら放送では、ある時間帯において、一つの放送局が、一つのＨＤ放送を放送するか三つのＳＤ放送を同時に放送することを選択することが可能である。特許文献１の図２においては、例えば、９：００までは、チャンネルのＣＨ００１、ＣＨ００２、ＣＨ００３では、ＳＤ放送をおこなっているが、それ以降は、これらのチャンネルでは、一つのＨＤ放送をおこなっている。
ｔ０以降は、ＳＤ２１、ＳＤ２２、ＳＤ２３が、ＨＤ２１に切り替わり、全部で７番組の表示になる。そして、ｔ１以降は、ＳＤ０１、ＳＤ０２、ＳＤ０３が、ＨＤ０１に切り替わり、全部で５番組の表示になる。
【００１１】
また、図８（ｂ）に示されるように、全てがＨＤ放送のときには、全部で３番組の表示しかできなくなる。このようにＳＤ放送が多いときには、チャンネルも多く番組情報を比較的多く表示できるが、ＨＤ放送の表示が多くなってくると、表示できるチャンネル数が少なくなり、番組情報の表示効率が悪くなるという問題点があった。
【００１２】
これは、三つのＳＤ放送で表示できる場合と一つのＨＤ放送をおこなう場合の混在があるためのまだら放送特有の問題である。
【００１３】
本発明は、上記に鑑みてなされたもので、まだら放送を受信する映像表示装置において、ＳＤ放送とＨＤ放送の放送の組み合わせに関わらず、番組のスケジュール表を表示する場合に、効率よく番組情報を表示できるようにすることを目的とする。
【課題を解決するための手段】
【００１４】
本発明の映像表示装置では、指定された時間帯の番組のスケジュール表を表示する場合に、ＳＤ放送を複数同時放送する放送局が含まれているか否かをチェックして、ＳＤ放送を複数同時放送する放送局が含まれていないときには、一放送局の放送する番組一つに一単位の表示枠を割り当てて表示し、ＳＤ放送で番組を複数同時放送する放送局が含まれているときには、その同時に放送された番組の一つのＳＤ放送のチャンネルの番組表示に、一単位の表示枠を割り当てて表示する。すなわち、ある放送局がＨＤ放送の後に、ＳＤ放送を三番組同時放送するときには、三つのチャンネルの表示枠の領域を割り当てて表示される。
【００１５】
これにより、どのようなＳＤ放送とＨＤ放送の組み合わせであっても、表示効率よく番組のスケジュール表に番組内容を表示することができる。
【発明の効果】
【００１６】
本発明によれば、まだら放送を受信する映像表示装置において、ＳＤ放送とＨＤ放送の放送の組み合わせに関わらず、番組のスケジュール表を表示する場合に、効率よく番組情報を表示することができる。
【発明を実施するための最良の形態】
【００１７】
以下、本発明に係る各実施形態を、図１ないし図７を用いて説明する。
【００１８】
〔実施形態１〕
以下、本発明に係る第一の実施形態を、図１ないし図５を用いて説明する。
【００１９】
先ず、図１を用いて本発明の第一の実施形態に係る映像表示装置の構成について説明する。
図１は、本発明の第一の実施形態に係る映像表示装置のハードウェア構成例を示すブロック図である。
【００２０】
映像表示装置１００は、デジタルを受信して、その放送内容（映像・音声による番組、データ放送による番組、および、その番組情報、データ放送によるデータを含む）を、例えば、音声を再生して出力するスピーカを含め、プラズマディスプレイパネルや液晶ディスプレイパネルなどの上に表示するＡＶ機器（放送受信装置）である。
【００２１】
アンテナ１２０は、放送されたデジタル放送を受信するためのパラボラアンテナ、または、ＵＨＦアンテナである。このアンテナ１２０からのＲＦ信号は、映像表示装置１００においてチューナ１０１に供給されて、ユーザのリモコン１３０を選局をリモコン受光部１１１を介して受信し、制御部（ＣＰＵ）１１０の指示により、選局されて出力信号を復調部１０２に入力する。復調部１０２では、入力された信号を復調する。
【００２２】
この段階で、指定された周波数の信号を選局され、ＴＳ（トランスポートストリーム）が抽出される。
【００２３】
抽出されたＴＳは、暗号復号部１１２に入力され、暗号が復号される。
【００２４】
デマルチプレクサ１０３は、メモリ（ＤＲＡＭ（Dynamic Random Access Memory)またはＳＲＡＭ（Static Random Access Memory））１０８に、ＴＳをいったん記憶した後、適宜これを読み出して解読し、この解読した映像・音声信号をデコーダ部１０４に供給する。すなわち、このデマルチプレクサ１０３におけるデマルチプレックス処理は、送信側における多重装置（ＭＵＸ）において映像や音声などの複数のストリームが多重されたトランスポートストリーム（ＴＳ）から、必要なストリームを取り出す処理であり、様々なストリームのパケットの中から、必要とするストリームを取り出すための、いわゆる、フィルタリングをおこなう。すなわち、あるチャンネルに選局した場合、そのチャンネルのサービスを構成する映像や音声ストリームのＰＩＤ（パケットＩＤ）が指定されて、そこで、受信器側では、そのＰＩＤのパケットをフィルタリングして、映像や音声のストリームを取り出すことで、番組を提示することができる。
【００２５】
その後、デマルチプレクサ１０３で取り出された映像や音声のストリームは、デコーダ部１０４に供給され、このデコーダ部１０４では、入力されたデジタル信号を内蔵したメモリ１０８等に適宜記憶させて、ＭＰＥＧ方式（特に、ＭＰＥＧ２）により圧縮されている映像・音声信号のデーコード（復号化）処理をおこなう。
【００２６】
そして、映像・音声信号は、プラズマディスプレイや液晶ディスプレイ等の表示部１０５へ出力されて表示される。
【００２７】
一方、デジタルＴＶ放送の放送信号に含まれている番組情報は、デマルチプレクサで分離され、番組情報処理部１０６により、データを生成し、ＯＳＤ生成部１０７に送られ、必要な形式に変換されて、表示部１０５に番組のスケジュール表として表示される。
【００２８】
以上の説明における番組情報処理部１０６の番組処理は、専用のハードウェア回路を設けてもよいし、番組情報処理プログラムをプロセッサが実行して番組情報生成の処理をおこなってもよい。
【００２９】
また、リモコン１３０からリモコン受信部１１１を介して、制御部１１０に指令を与えることにより、通常の番組視聴と番組のスケジュール表の表示を切り替えることができる。例えば、視聴画面の表示時に、リモコン１３０の「番組表」キーを押下すると、番組のスケジュール表を表示する画面に移り、番組のスケジュール表を表示する画面の表示時に、リモコン１３０の「戻る」キーを押下すると、視聴画面に戻るようにする。また、番組のスケジュール表を表示する画面を、ポップアップするようにしてもよい。
【００３０】
次に、図２ないし図５を用いて本発明の第一の実施形態に係る映像表示装置の番組表示の処理について説明する。
図２は、本発明の第一の実施形態において、表示しようとする時間帯の番組の中に、ＨＤ放送とＳＤ放送が混在しないときのスケジュール表を示す図である。
図３は、本発明の第一の実施形態において、表示しようとする時間帯の番組の中に、ＨＤ放送とＳＤ放送が混在するときのスケジュール表を示す図である。
図４は、本発明の第一の実施形態に係る映像表示装置の番組表示の処理を示すフローチャートである。
図５は、本発明の第一の実施形態に係る番組のスケジュール表示の画面を模式的に示した図である。
【００３１】
先ず、ユーザがリモコン１３０により、所定時間帯の番組放送のスケジュール表を表示するように指示する。映像表示装置は、これを受信し、番組情報処理部１０６に所定の時間帯のスケジュール表を表示データを生成するように指示する。
【００３２】
番組情報表示部１０６は、先ず、指定された時間帯に、ＳＤ放送の番組を複数の放送させている放送局があるか否かを判断する（Ｓ０１）。
【００３３】
現在放送中の全ての放送局がＨＤ放送であるか、ＳＤ放送であっても一つの放送しかおこなっていないとすると、一放送局の放送する番組に一単位の表示枠を割り当てて、スケジュール表のデータを作成する（Ｓ０２）。
【００３４】
例えば、図２に示される例は、ＰＭ７：００〜ＰＭ１０：００までは、全ての放送局は、ＨＤ放送であるか、ＳＤ放送であっても一つの番組しか放送しない例である。２０１ＣＨでは、ＰＭ７：００〜ＰＭ８：００には、「ニュース２」、ＰＭ８：００〜ＰＭ１０：００には、「映画２」を放送する。
【００３５】
一方、指定された時間帯に、ＳＤ放送を複数の放送させている放送局がある場合には、そのＳＤ放送のチャンネルごとの番組に一単位の表示枠を割り当てて、スケジュール表のデータを作成する（Ｓ０３）。
【００３６】
例えば、図３に示される例では、ＰＭ７：００〜ＰＭ１０：００までに、２０１ＣＨ以降のチャンネルで、ＨＤ放送とＳＤ放送が混在している。２０１ＣＨでは、ＰＭ７：００〜ＰＭ８：００には、ＨＤ放送の「ニュース２」を放送し、ＰＭ８：００〜ＰＭ１０：００には、ＳＤ放送の「映画２１」、「映画２２」、「ドラマ２３」を、それぞれ２０１ＣＨ、２０２ＣＨ、２０３ＣＨのチャンネルで同時放送している。なお、ＰＭ７：００〜ＰＭ８：００で、２０２ＣＨ、２０３ＣＨのチャンネルを選局した場合も、ＨＤ放送の「ニュース２」を表示することになるが、番組のスケジュール表には、２０１ＣＨのみ表示されている。
【００３７】
そして、生成したデータをＯＳＤ生成部１０７に渡し、表示データを生成させて、表示部１０５にスケジュール表の表示画面として表示する（Ｓ０４）。
【００３８】
本実施形態と、従来技術のスケジュール表の番組の表示効率を模式的に示した図５と図８とを比較すると、特に、ＨＤ放送が多くなる場合に、すなわち、ＳＤ放送の多重放送がない場合に、本実施形態の画面の表示効率がよくなることが理解される。すなわち、ＨＤ放送だけの場合は、従来技術では、三番組しかとれなかったが、本実施形態では、図５（ｂ）に示されるように、九番組の表示ができることになる。
【００３９】
〔実施形態２〕
以下、本発明に係る第二の実施形態を、図６および図７を用いて説明する。
【００４０】
図６は、本発明の第二の実施形態において、表示しようとする時間帯の番組の中に、ＨＤ放送とＳＤ放送が混在するときのスケジュール表を示す図である。
【００４１】
図７は、本発明の第二の実施形態に係る映像表示装置の番組表示の処理を示すフローチャートである。
【００４２】
第一の実施形態では、スケジュール表の切り替えを表示時間帯の中でＳＤ放送を複数放送する放送局があるか否かで判断した（図４のＳ０１）。
【００４３】
これに対して、本実施形態では、図７に示されるように判断の時間帯を広げて表示の時間帯＋Δｔの範囲に、ＳＤ放送を複数放送する放送局があるか否かで判断する（Ｓ０１ａ）。
【００４４】
すなわち、図６に示される例では、２０１ＣＨでは、ＰＭ７：００〜ＰＭ８：００には、「ニュース２」、ＰＭ８：００〜ＰＭ１０：００には、「映画２」を放送しており、ＰＭ７：００〜ＰＭ１０：００の時間帯では、ＨＤ放送のみの表示である。
【００４５】
しかし、ＰＭ１０：００より後の時間帯でＳＤ放送の「映画２１」、「映画２２」、「ドラマ２３」を、それぞれ２０１ＣＨ、２０２ＣＨ、２０３ＣＨのチャンネルで同時放送する。そのため、表示時間帯がＰＭ７：００〜ＰＭ１０：００の場合であっても、図６に示されるように、２０１ＣＨ、２０２ＣＨ、２０３ＣＨのチャンネルのそれぞれに一つの表示枠を割り当てて表示する。この場合に、ＰＭ７：００〜ＰＭ８：００で、２０２ＣＨ、２０３ＣＨのチャンネルが選択されたときにも、「ニュース２」が表示される。
【００４６】
なお、本実施形態では、スケジュール表の切り替えを、表示時間帯＋Δｔの範囲に、ＳＤ放送を複数放送する放送局があるか否かで判断する例を説明したが、判断する時間帯を広げて、表示時間帯−Δｔを含めて、表示時間帯±Δｔの範囲に、 ＳＤ放送を複数放送する放送局があるか否かで判断してもよい。
【００４７】
以上、デジタル放送において、ＨＤ放送とＳＤ放送を混在した場合の番組のスケジュール表の表示について説明したきたが、本発明の手法は、他の放送形態で伝送容量が違う放送形態を混在される場合にも適用可能である。
【図面の簡単な説明】
【００４８】
【図１】本発明の第一の実施形態に係る映像表示装置のハードウェア構成例を示すブロック図である。
【図２】本発明の第一の実施形態において、表示しようとする時間帯の番組の中に、ＨＤ放送とＳＤ放送が混在しないときのスケジュール表を示す図である。
【図３】本発明の第一の実施形態において、表示しようとする時間帯の番組の中に、ＨＤ放送とＳＤ放送が混在するときのスケジュール表を示す図である。
【図４】本発明の第一の実施形態に係る映像表示装置の番組表示の処理を示すフローチャートである。
【図５】本発明の第一の実施形態に係る番組のスケジュール表示の画面を模式的に示した図である。
【図６】本発明の第二の実施形態において、表示しようとする時間帯の番組の中に、ＨＤ放送とＳＤ放送が混在するときのスケジュール表を示す図である。
【図７】本発明の第二の実施形態に係る映像表示装置の番組表示の処理を示すフローチャートである。
【図８】従来技術の番組のスケジュール表示の画面を模式的に示した図である。
【符号の説明】
【００４９】
１００…映像表示装置
１０１…チューナ
１０２…復調部
１０３…デマルチプレクサ
１０４…デコーダ部
１０５…表示部
１０６…番組情報処理部
１０７…ＯＳＤ生成部
１０８…メモリ
１１０…制御部
１１１…リモコン受光部
１３０…リモコン
【図１】
2008258959.tif 000003
【図２】
2008258959.tif 000004
【図３】
2008258959.tif 000005
【図４】
2008258959.tif 000006
【図５】
2008258959.tif 000007
【図６】
2008258959.tif 000008
【図７】
2008258959.tif 000009
【図８】
2008258959.tif 000010